(57)【要約】      （修正有）【課題】ユーザが意図しない楽音のパラメータ変更を低減すること。【解決手段】演奏用入力装置の操作に応答して演奏楽音を発生させる演奏部と、記録装置に記録される旋律を自動演奏して自動演奏楽音を発生させる自動演奏部と、演奏用入力装置と異なるパラメータ変更用入力装置の操作に応答して自動演奏楽音に関するパラメータを更新するパラメータ更新部とを備えている。パラメータ変更用入力装置は、第１入力装置と、第２入力装置とを含んでいる。このとき、パラメータ更新部は、その旋律を自動演奏している最中に第１入力装置が操作されたときにパラメータを更新しないことが好ましい。【選択図】図５
2006293236.tif 000002
【特許請求の範囲】
【請求項１】
演奏用入力装置の操作に応答して演奏楽音を発生させる演奏部と、
記録装置に記録される旋律を自動演奏して自動演奏楽音を発生させる自動演奏部と、
前記演奏用入力装置と異なるパラメータ変更用入力装置の操作に応答して前記自動演奏楽音に関するパラメータを更新するパラメータ更新部とを具備し、
前記パラメータ変更用入力装置は、
第１入力装置と、
第２入力装置とを含み、
前記パラメータ更新部は、前記旋律を自動演奏している最中に前記第１入力装置が操作されたときに前記パラメータを更新しない
電子楽器。
【請求項２】
請求項１において、
前記第１入力装置は、前記演奏用入力装置に隣接して配置されるスイッチを含む
電子楽器。
【請求項３】
請求項１において、
前記演奏用入力装置は、
上側鍵盤と、
下側鍵盤とを含み、
前記第１入力装置は、前記上側鍵盤と前記下側鍵盤との間に配置されるスイッチを含む
電子楽器。
【請求項４】
請求項１〜請求項３のいずれかにおいて、
前記演奏用入力装置は、ユーザの足により操作されるペダル鍵盤を含み、
前記第１入力装置は、前記ユーザの膝により操作されるニーレバーを含む
電子楽器。
【請求項５】
請求項１〜請求項４のいずれかにおいて、
エクスプレッションペダルが踏み込まれる踏み込み量に応じて音量を変更する音量変更部を更に具備し、
前記第１入力装置は、前記エクスプレッションペダルに隣接して配置されるスイッチを含む
電子楽器。
【請求項６】
請求項１〜請求項５のいずれかにおいて、
ユーザの操作に基づいて、前記パラメータのうちのどのパラメータをどのように変更するかを前記パラメータ変更用入力装置に割り当てるレジストレーション設定部
を更に具備する電子楽器。
【請求項７】
請求項１〜請求項６のいずれかにおいて、
前記旋律を自動演奏しているときに、前記第１入力装置と前記第２入力装置とを識別可能にユーザに案内するガイド部
を更に具備する電子楽器。
【請求項８】
演奏用入力装置の操作に応答して演奏楽音を発生させる演奏部と、
記録装置に記録される旋律を自動演奏して自動演奏楽音を発生させる自動演奏部と、
前記演奏用入力装置と異なるパラメータ変更用入力装置の操作に応答して前記演奏楽音または自動演奏楽音に関するパラメータを更新するパラメータ更新部と、
前記パラメータ変更用入力装置のうちの前記パラメータが実際に更新される第１入力装置と前記パラメータ変更用入力装置のうちの前記パラメータが実際に更新されない第２入力装置とを識別可能にユーザに案内するガイド部
とを具備する電子楽器。
【請求項９】
請求項８において、
前記パラメータ更新部は、
前記旋律を自動演奏していない最中に前記第１入力装置または前記第２入力装置が操作されたときに前記パラメータを更新し、
前記旋律を自動演奏している最中に前記第２入力装置が操作されたときに前記パラメータを更新し、
前記旋律を自動演奏している最中に前記第１入力装置が操作されたときに前記パラメータを更新しない
電子楽器。
【発明の詳細な説明】
【技術分野】
【０００１】
本発明は、電子楽器に関し、特に、手動演奏と自動演奏とが可能である電子楽器に関する。
【背景技術】
【０００２】
手動演奏と自動演奏とが可能である電子楽器が知られている。このような電子楽器は、手動演奏している最中に、パラメータ変更用の入力装置を操作することにより、手動演奏または自動演奏による楽音のパラメータを変更し、その楽音の音色などを変更することができる。電子楽器は、ユーザがパラメータ変更用の入力装置を誤操作することにより、楽音が意図しないように変更されることがある。ユーザが意図しない楽音のパラメータ変更を低減する電子楽器が望まれている。
【０００３】
特開平０７−３１９４６６号公報には、フリーズ機能を使用する機会の幅を広げることが可能な電子楽器が開示されている。その電子楽器は、電子楽器の現在の動作を制御する複数のデータを記憶する第１の記憶手段と、該第１の記憶手段に記憶されている複数のデータの値を変更する変更手段と、該変更手段により変更された複数のデータを記憶する第２の記憶手段と、該複数のデータの内の一部のデータを指定するデータ指定手段と、前記第２の記憶手段に記憶されているデータの前記第１の記憶手段へのロードを指示する指示手段と、該指示手段のロード指示に応じて、前記第２の記憶手段に記憶されている複数のデータの内、前記データ指定手段により指定された一部のデータを除く残りのデータを選択的に読み出し、該読み出されたデータにより前記第１の記憶手段の当該データを書き換える書き換え手段と、前記データ指定手段により指定された一部のデータの範囲を変更する範囲変更手段とを有することを特徴としている。
【０００４】
特開平１１−２２４０８６号公報には、自動伴奏を使用する演奏中にレジストレーションの再生を行う際には、伴奏関連の設定の変更が行われないようにした演奏装置が開示されている。その演奏装置は、伴奏関連以外の第１パラメータと、伴奏関連の第２パラメータとを含むレジストレーションデータのセットが記憶されている記憶手段と、前記第２パラメータに基づく自動伴奏を行う伴奏手段とを少なくとも備え、前記伴奏手段が自動伴奏を行っている際に、前記レジストレーションデータが再生指示された場合には、前記第１パラメータの再生のみが行われるようにしたことを特徴としている。
【０００５】
特公平０５−３２７５９号公報には、手動操作子の操作によって作成中のデータがプリセットデータによって置換されることがないようにすることができる電子楽器が開示されている。その電子楽器は、楽音制御に関連するデータを設定若しくは変更するための手動操作子手段と、楽音制御に関連するデータをプリセットデータとして記憶するプリセットデータ記憶手段と、前記プリセットデータ記憶手段におけるプリセットデータの選択的読み出しを制御するプリセット制御手段と、前記プリセットデータ記憶手段から読み出されたプリセットデータを記憶すること又は前記手動操作子手段の操作に応じて該記憶データを設定若しくは変更することが可能であり、この記憶データを楽音制御のための回路に供給して該供給したデータに従って楽音制御が行われるようにする出力データ記憶手段と、前記プリセットデータ記憶手段から読み出されたプリセットデータを前記出力データ記憶手段に書き込むこと及び前記手動操作子手段の操作に応じて該出力データ記憶手段の記憶データを設定若しくは変更することのどちらでも可能にする第１のモード、前記手動操作子手段の操作に応じて前記出力データ記憶手段のデータを設定もしくは変更することは可能であるが、前記プリセットデータ記憶手段から読み出されたプリセットデータを前記出力データ記憶手段に書きこむことは禁止する第２のモード、これらのモードのうちどれかを選択し、選択されたモードに従って前記出力データ記憶手段の書込みを制御する制御手段とを具えている。
【０００６】
【特許文献１】特開平０７−３１９４６６号公報
【特許文献２】特開平１１−２２４０８６号公報
【特許文献３】特公平０５−３２７５９号公報
【発明の開示】
【発明が解決しようとする課題】
【０００７】
本発明の課題は、ユーザが意図しない楽音のパラメータ変更を低減する電子楽器を提供することにある。
【課題を解決するための手段】
【０００８】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００９】
本発明による電子楽器（１）は、演奏用入力装置（８、１１、１２）の操作に応答して演奏楽音を発生させる演奏部（４５）と、記録装置に記録される旋律を自動演奏して自動演奏楽音を発生させる自動演奏部（４６）と、演奏用入力装置（８、１１、１２）と異なるパラメータ変更用入力装置（４、６、７、１３、１４〜３１）の操作に応答して自動演奏楽音に関するパラメータを更新するパラメータ更新部（４３）とを備えている。パラメータ変更用入力装置（４、６、７、１３、１４〜３１）は、第１入力装置（４、６、７、１３）と、第２入力装置（１４〜３１）とを含んでいる。このとき、パラメータ更新部（４３）は、その旋律を自動演奏している最中に第１入力装置（４、６、７、１３）が操作されたときにパラメータを更新しないことが好ましい。
【００１０】
第１入力装置（４、６、７、１３）は、演奏用入力装置（８、１１、１２）に隣接して配置されるスイッチ（１３）を含んでいることが好ましい。
【００１１】
演奏用入力装置（８、１１、１２）は、上側鍵盤（１１）と、下側鍵盤（１２）とを含んでいる。このとき、第１入力装置（４、６、７、１３）は、上側鍵盤（１１）と下側鍵盤（１２）との間に配置されるスイッチ（１３）を含んでいることが好ましい。
【００１２】
演奏用入力装置（８、１１、１２）は、ユーザの足により操作されるペダル鍵盤（８）を含んでいる。このとき、第１入力装置（４、６、７、１３）は、ユーザの膝により操作されるニーレバー（４）を含んでいることが好ましい。
【００１３】
本発明による電子楽器（１）は、エクスプレッションペダル（５）が踏み込まれる踏み込み量に応じて音量を変更する音量変更部（４７）を更に備えている。第１入力装置（４、６、７、１３）は、エクスプレッションペダル（５）に隣接して配置されるスイッチ（６、７）を含んでいることが好ましい。
【００１４】
本発明による電子楽器（１）は、ユーザの操作に基づいて、パラメータのうちのどのパラメータをどのように変更するかをパラメータ変更用入力装置（４、６、７、１３、１４〜３１）に割り当てるレジストレーション設定部（４２）を更に備えていることが好ましい。
【００１５】
本発明による電子楽器（１）は、その旋律を自動演奏しているときに、第１入力装置（４、６、７、１３）と第２入力装置（１４〜３１）とを識別可能にユーザに案内するガイド部（４８）を更に備えていることが好ましい。
【００１６】
本発明による電子楽器（１）は、演奏用入力装置（８、１１、１２）の操作に応答して演奏楽音を発生させる演奏部（４５）と、記録装置に記録される旋律を自動演奏して自動演奏楽音を発生させる自動演奏部（４６）と、演奏用入力装置（８、１１、１２）と異なるパラメータ変更用入力装置（４、６、７、１３、１４〜３１）の操作に応答して演奏楽音または自動演奏楽音に関するパラメータを更新するパラメータ更新部（４３）と、パラメータ変更用入力装置（４、６、７、１３、１４〜３１）のうちのパラメータが実際に更新される第１入力装置（４、６、７、１３）とパラメータ変更用入力装置（４、６、７、１３、１４〜３１）のうちのパラメータが実際に更新されない第２入力装置（１４〜３１）とを識別可能にユーザに案内するガイド部（４８）とを備えている。
【００１７】
パラメータ更新部（４３）は、その旋律を自動演奏していない最中に第１入力装置（４、６、７、１３）または第２入力装置（１４〜３１）が操作されたときにパラメータを更新し、その旋律を自動演奏している最中に第２入力装置（１４〜３１）が操作されたときにパラメータを更新し、その旋律を自動演奏している最中に第１入力装置（４、６、７、１３）が操作されたときにパラメータを更新しないことが好ましい。
【発明の効果】
【００１８】
本発明による電子楽器は、ユーザが意図しない楽音のパラメータ変更を低減することができる。
【発明を実施するための最良の形態】
【００１９】
図面を参照して、本発明による電子楽器の実施の形態を記載する。その電子楽器１は、図１に示されているように、電子楽器本体２に複数の入力装置が設けられている。その複数の入力装置は、フロントパネル３とニーレバー４とエクスプレッションペダル５と左フットスイッチ６と右フットスイッチ７とペダル鍵盤８とから形成されている。
【００２０】
フロントパネル３は、複数のスイッチから形成され、電子楽器本体２の上部に配置されている。ニーレバー４は、フロントパネル３の裏面に配置され、右に倒されることができるように電子楽器本体２に支持されている。ニーレバー４は、右に倒されたときに、右に倒されたことを示す電気信号を電子楽器本体２に出力する。ニーレバー４は、電子楽器１のユーザの膝により操作される。
【００２１】
エクスプレッションペダル５は、ユーザの足により踏まれる面を有し、その面の角度が変更可能に電子楽器本体２に支持されている。エクスプレッションペダル５は、フロントパネル３の下に配置され、電子楽器１のユーザの足により操作される。エクスプレッションペダル５は、その面の角度を示す電気信号を電子楽器本体２に出力する。左フットスイッチ６は、エクスプレッションペダル５の左側に配置され、左に倒されることができるようにエクスプレッションペダル５に支持されている。左フットスイッチ６は、左に倒されたときに、左に倒されたことを示す電気信号を電子楽器本体２に出力する。左フットスイッチ６は、電子楽器１のユーザの足により操作される。右フットスイッチ７は、エクスプレッションペダル５の右側に配置され、右に倒されることができるようにエクスプレッションペダル５に支持されている。右フットスイッチ７は、右に倒されたときに、右に倒されたことを示す電気信号を電子楽器本体２に出力する。右フットスイッチ７は、電子楽器１のユーザの足により操作される。
【００２２】
ペダル鍵盤８は、電子楽器本体２の下部に配置され、複数の鍵を備えている。複数の鍵は、複数の白鍵と複数の黒鍵とから形成され、それぞれ、互いに異なる複数の楽音に対応している。ペダル鍵盤８は、踏まれた鍵を示す電気信号を電子楽器本体２に出力する。
【００２３】
電子楽器１は、さらに、スピーカ９を備えている。スピーカ９は、電子楽器本体２により生成された電気信号を音に変換し、電子楽器本体２により生成された情報に基づいて音を出力する。
【００２４】
図２は、フロントパネル３を示している。フロントパネル３は、アッパー鍵盤１１とロワー鍵盤１２とレジストレーションスイッチ１３とキーボードコンダクターエリア１４と第１ロワーペダルソロエリア１５と第２ロワーペダルソロエリア１６と第１ロワーオーケストラエリア１７と第２ロワーオーケストラエリア１８とアッパーティビアパーカスエリア１９とティビアコントロールエリア２０とアッパースペシャルエリア２１とロワースペシャルエリア２２と第１アッパーオーケストラエリア２３と第２アッパーオーケストラエリア２４と第１アッパーソロエリア２５と第２アッパーソロエリア２６とペダルオーケストラエリア２７とオートプレイオーケストラリズムエリア２８とオートプレイオーケストラアカンパニメントエリア２９とＬＣＤエリア３１とを備えている。
【００２５】
アッパー鍵盤１１は、フロントパネル３の概ね中央に配置され、複数の鍵を備えている。複数の鍵は、複数の白鍵と複数の黒鍵とから形成され、それぞれ、互いに異なる複数の楽音に対応している。アッパー鍵盤１１は、打鍵された鍵とその打鍵強度とを示す電気信号を電子楽器本体２に出力する。
【００２６】
ロワー鍵盤１２は、アッパー鍵盤１１より手前に配置され、複数の鍵を備えている。複数の鍵は、複数の白鍵と複数の黒鍵とから形成され、それぞれ、互いに異なる複数の楽音に対応している。ロワー鍵盤１２は、打鍵された鍵とその打鍵強度とを示す電気信号を電子楽器本体２に出力する。
【００２７】
レジストレーションスイッチ１３は、アッパー鍵盤１１とロワー鍵盤１２との間に配置され、複数のスイッチから形成されている。その複数のスイッチは、それぞれ、ＬＥＤを備えている。そのＬＥＤは、赤色に点灯し、または、青色に点灯する。レジストレーションスイッチ１３は、押下されたスイッチを示す電気信号を電子楽器本体２に出力し、電子楽器本体２に制御されてＬＥＤが赤色または青色に点灯する。
【００２８】
キーボードコンダクターエリア１４と第１ロワーペダルソロエリア１５と第２ロワーペダルソロエリア１６と第１ロワーオーケストラエリア１７と第２ロワーオーケストラエリア１８とアッパーティビアパーカスエリア１９とティビアコントロールエリア２０とアッパースペシャルエリア２１とロワースペシャルエリア２２と第１アッパーオーケストラエリア２３と第２アッパーオーケストラエリア２４と第１アッパーソロエリア２５と第２アッパーソロエリア２６とペダルオーケストラエリア２７とオートプレイオーケストラリズムエリア２８とオートプレイオーケストラアカンパニメントエリア２９とには、それぞれ、複数のスイッチが配置されている。その複数のスイッチからアッパー鍵盤１１またはロワー鍵盤１２までの距離は、レジストレーションスイッチ１３からアッパー鍵盤１１またはロワー鍵盤１２までの距離より大きい。その複数のスイッチは、それぞれ、ＬＥＤを備えている。そのＬＥＤは、赤色に点灯し、または、青色に点灯する。
【００２９】
ＬＣＤエリア３１には、図示されていないＬＣＤスクリーンと複数のスイッチとが配置されている。ＬＣＤスクリーンは、液晶ディスプレイの表示面であり、その液晶ディスプレイは、電子楽器本体２により生成された画面を表示する。その画面には、複数の記号が記載されている。その複数の記号は、その画面が表示されたときに、それぞれ、その複数のスイッチの近傍に配置される。その記号は、それぞれ、近傍に配置されるスイッチに割り当てられる機能を示している。その記号は、近傍に配置されるスイッチに機能が割り当てられていないときに、その画面に記載されない。
【００３０】
図３は、電子楽器本体２を示している。電子楽器本体２は、コンピュータであり、図示されていないＣＰＵと記憶装置とを備えている。そのＣＰＵは、電子楽器本体２にインストールされるコンピュータプログラムを実行して、その記憶装置とフロントパネル３とニーレバー４とエクスプレッションペダル５と左フットスイッチ６と右フットスイッチ７とペダル鍵盤８とスピーカ９とを制御する。その記憶装置は、ＲＯＭまたはＲＡＭであり、そのコンピュータプログラムを記録し、そのＣＰＵにより生成される情報を一時的に記録する。
【００３１】
そのコンピュータプログラムは、レジストレーションデータベース４１とレジストレーション設定部４２とパラメータ更新部４３とシーケンス設定部４４と演奏部４５と自動演奏部４６と音量変更部４７とガイド部４８とから形成されている。
【００３２】
レジストレーションデータベース４１は、（名称）１の入力装置の操作とパラメータを変更する動作との対応を記憶装置に記録している。レジストレーション設定部４２は、（名称）１の入力装置の操作に基づいて、その対応を生成する。パラメータ更新部４３は、レジストレーションデータベース４１により記録される対応を参照して、（名称）１の入力装置の操作に対応するパラメータを変更する。
【００３３】
演奏部４５は、上側鍵盤１１と上側鍵盤１２とペダル鍵盤８との操作に基づいて楽音をスピーカ９から発生させる。すなわち、演奏部４５は、上側鍵盤１１と上側鍵盤１２とペダル鍵盤８とのうちの打鍵された鍵に対応する楽音をスピーカ９から出力する。演奏部４５は、さらに、その鍵の打鍵強度に対応する効果をその楽音に付加し、たとえば、その打鍵強度が大きいほどその楽音の音量を大きくする。
【００３４】
シーケンス設定部４４は、（名称）１の入力装置の操作に基づいて旋律を示す楽曲データを生成する。自動演奏部４６は、シーケンス設定部４４により生成された楽曲データを楽曲に再生する。自動演奏部１６は、その楽曲を音響装置９から出力する。
【００３５】
音量変更部４７は、演奏部４５または自動演奏部４６により音響装置９から出力される楽音の音量を、エクスプレッションペダル５の踏み込み量に応じて変更する。
【００３６】
ガイド部４８は、レジストレーションデータベース４１により記録される対応を参照して、レジストレーションスイッチ１３の複数のスイッチのＬＥＤを対応する動作に基づいて赤色または青色に点灯する。
【００３７】
図４は、レジストレーションデータベース４１により記憶装置に記録されるレジストレーションテーブルを示している。そのレジストレーションテーブル５１は、スイッチ５２とを動作５４に対応付けている。スイッチ５２は、楽音に関するパラメータを変更するときに用いられるスイッチを識別し、ニーレバー４と左フットスイッチ６と右フットスイッチ７とレジストレーションスイッチ１３とを識別している。動作５４は、スイッチ５２により識別されるスイッチが操作されたときに実行する動作を示し、出力される楽音に関するパラメータのうちのどのパラメータをどのように変更するかを示している。
【００３８】
このとき、レジストレーション設定部４２は、電子楽器１の入力装置の操作に基づいてレジストレーションテーブル５１を作成する。たとえば、ユーザは、キーボードコンダクターエリア１４と第１ロワーペダルソロエリア１５と第２ロワーペダルソロエリア１６と第１ロワーオーケストラエリア１７と第２ロワーオーケストラエリア１８とアッパーティビアパーカスエリア１９とティビアコントロールエリア２０とアッパースペシャルエリア２１とロワースペシャルエリア２２と第１アッパーオーケストラエリア２３と第２アッパーオーケストラエリア２４と第１アッパーソロエリア２５と第２アッパーソロエリア２６とペダルオーケストラエリア２７とオートプレイオーケストラリズムエリア２８とオートプレイオーケストラアカンパニメントエリア２９とＬＣＤエリア３１とに配置されるスイッチが操作されて、演奏部４５により再生される楽曲を構成する楽音のパラメータを設定し、自動演奏部４６により再生される楽曲を構成する楽音のパラメータを設定する。レジストレーション設定部４２は、図示されていないライトスイッチが押されながらレジストレーションスイッチ１３のうちの１つのスイッチが押されたときに、その１つのスイッチに先に設定されたようにパラメータを変更する動作を対応付ける。
【００３９】
このとき、パラメータ更新部４３は、自動演奏をしていないときに、または、操作されたスイッチが自動演奏に関する楽音のパラメータを変更する動作に対応しないときに、その動作を実行してパラメータを変更する。パラメータ更新部４３は、さらに、自動演奏している最中に、操作されたスイッチが自動演奏に関する楽音のパラメータを変更する動作に対応するときに、パラメータを変更しない。
【００４０】
このとき、ガイド部４８は、レジストレーションスイッチ１３のうちの操作されたときにパラメータ更新部４３によりパラメータが変更されるスイッチのＬＥＤを赤色に点灯し、操作されてもパラメータ更新部４３によりパラメータが変更されないスイッチのＬＥＤを青色に点灯する。
【００４１】
電子楽器１の動作は、スイッチに動作を設定する動作と、楽音に関するパラメータの値を変更する動作とを備えている。
【００４２】
そのスイッチに動作を設定する動作では、まず、ユーザが、キーボードコンダクターエリア１４と第１ロワーペダルソロエリア１５と第２ロワーペダルソロエリア１６と第１ロワーオーケストラエリア１７と第２ロワーオーケストラエリア１８とアッパーティビアパーカスエリア１９とティビアコントロールエリア２０とアッパースペシャルエリア２１とロワースペシャルエリア２２と第１アッパーオーケストラエリア２３と第２アッパーオーケストラエリア２４と第１アッパーソロエリア２５と第２アッパーソロエリア２６とペダルオーケストラエリア２７とオートプレイオーケストラリズムエリア２８とオートプレイオーケストラアカンパニメントエリア２９とＬＣＤエリア３１とに配置されるスイッチが操作されて、演奏部４５により再生される楽曲を構成する楽音のパラメータを設定し、自動演奏部４６により再生される楽曲を構成する楽音のパラメータを設定する。この設定は、電子楽器１が自動演奏をしているかどうかに無関係に実行することができる。電子楽器１は、図示されていないライトスイッチが押されながらニーレバー４と左フットスイッチ６と右フットスイッチ７とレジストレーションスイッチ１３の複数のスイッチとのうちの１つのスイッチが押されたときに、その１つのスイッチに先に設定されたようにパラメータを変更する動作を対応付ける。
【００４３】
楽音に関するパラメータの値を変更する動作は、第１動作と第２動作とを備えている。その第１動作は、キーボードコンダクターエリア１４と第１ロワーペダルソロエリア１５と第２ロワーペダルソロエリア１６と第１ロワーオーケストラエリア１７と第２ロワーオーケストラエリア１８とアッパーティビアパーカスエリア１９とティビアコントロールエリア２０とアッパースペシャルエリア２１とロワースペシャルエリア２２と第１アッパーオーケストラエリア２３と第２アッパーオーケストラエリア２４と第１アッパーソロエリア２５と第２アッパーソロエリア２６とペダルオーケストラエリア２７とオートプレイオーケストラリズムエリア２８とオートプレイオーケストラアカンパニメントエリア２９とＬＣＤエリア３１とに配置されている複数のスイッチを用いて実行される。その第２動作は、ニーレバー４と左フットスイッチ６と右フットスイッチ７とレジストレーションスイッチ１３とを用いて実行される。
【００４４】
その第１動作は、ユーザが、キーボードコンダクターエリア１４と第１ロワーペダルソロエリア１５と第２ロワーペダルソロエリア１６と第１ロワーオーケストラエリア１７と第２ロワーオーケストラエリア１８とアッパーティビアパーカスエリア１９とティビアコントロールエリア２０とアッパースペシャルエリア２１とロワースペシャルエリア２２と第１アッパーオーケストラエリア２３と第２アッパーオーケストラエリア２４と第１アッパーソロエリア２５と第２アッパーソロエリア２６とペダルオーケストラエリア２７とオートプレイオーケストラリズムエリア２８とオートプレイオーケストラアカンパニメントエリア２９とＬＣＤエリア３１とに配置されるスイッチが操作されて、演奏部４５により再生される楽曲を構成する楽音のパラメータを設定し、自動演奏部４６により再生される楽曲を構成する楽音のパラメータを設定する。この設定は、電子楽器１が自動演奏をしているかどうかに無関係に実行することができる。
【００４５】
図５は、その第２動作を示している。この動作は、レジストレーションスイッチ１３が押下されることにより開始される。電子楽器１は、レジストレーションスイッチ１３が押下されると、まず、自動演奏をしている最中かどうかを判別する（ステップＳ１）。電子楽器１は、自動演奏をしているときに（ステップＳ１、ＹＥＳ）、レジストレーションテーブル５１を参照して、押下されたスイッチが自動演奏に関する楽音のパラメータを変更する動作に対応しているかどうかを判別する（ステップＳ２）。
【００４６】
電子楽器１は、自動演奏をしていないときに（ステップＳ１、ＮＯ）、または、押下されたスイッチが自動演奏に関する楽音のパラメータを変更する動作に対応しないときに（ステップＳ２、ＮＯ）、押下されたスイッチに対応する動作を実行して、パラメータを変更する（ステップＳ３）。電子楽器１は、自動演奏している場合で（ステップＳ１、ＹＥＳ）、押下されたスイッチが自動演奏に関する楽音のパラメータを変更する動作に対応するときに（ステップＳ２、ＹＥＳ）、パラメータを変更しない。
【００４７】
ユーザは、アッパー鍵盤１１とロワー鍵盤１２との両方を使うときに、アッパー鍵盤１１とロワー鍵盤１２との間に配置されるレジストレーションスイッチ１３を誤って操作することがある。ユーザは、エクスプレッションペダル５を使うときに、ニーレバー４と左フットスイッチ６と右フットスイッチ７とを誤って操作することがある。ユーザは、ペダル鍵盤８を使うときに、ニーレバー４を誤って操作することがある。このような電子楽器１によれば、ユーザは、自動演奏中にニーレバー４と左フットスイッチ６と右フットスイッチ７とレジストレーションスイッチ１３とのいずれかを誤って操作したときに、自動演奏による楽音が変更されないで、ユーザが意図しない楽音のパラメータ変更を低減することができる。
【００４８】
なお、電子楽器１は、フロントパネル３が鍵盤を１つだけ備えているときに、その鍵盤に隣接して配置されるスイッチに関して図５の動作を実行することもできる。
【００４９】
なお、電子楽器１は、ユーザによりどのパラメータをどのように変更するかを設定されるスイッチ以外のスイッチ、すなわち、ユーザによりどのパラメータをどのように変更するかを設定されことができないスイッチに関して図５の動作を実行することもできる。
【図面の簡単な説明】
【００５０】
【図１】図１は、本発明による電子楽器の実施の形態を示す斜視図である。
【図２】図２は、フロントパネルを示す平面図である。
【図３】図３は、電子楽器本体を示すブロック図である。
【図４】図４は、レジストレーションテーブルを示す図である。
【図５】図５は、楽音に関するパラメータの値を変更する動作を示すフローチャートである。
【符号の説明】
【００５１】
１  ：電子楽器
２  ：電子楽器本体
３  ：フロントパネル
４  ：ニーレバー
５  ：エクスプレッションペダル
６  ：左フットスイッチ
７  ：右フットスイッチ
８  ：ペダル鍵盤
９  ：スピーカ
１１：アッパー鍵盤
１２：ロワー鍵盤
１３：レジストレーションスイッチ
１４：キーボードコンダクターエリア
１５：第１ロワーペダルソロエリア
１６：第２ロワーペダルソロエリア
１７：第１ロワーオーケストラエリア
１８：第２ロワーオーケストラエリア
１９：アッパーティビアパーカスエリア
２０：ティビアコントロールエリア
２１：アッパースペシャルエリア
２２：ロワースペシャルエリア
２３：第１アッパーオーケストラエリア
２４：第２アッパーオーケストラエリア
２５：第１アッパーソロエリア
２６：第２アッパーソロエリア
２７：ペダルオーケストラエリア
２８：オートプレイオーケストラリズムエリア
２９：オートプレイオーケストラアカンパニメントエリア
３１：ＬＣＤエリア
４１：レジストレーションデータベース
４２：レジストレーション設定部
４３：パラメータ更新部
４４：シーケンス設定部
４５：演奏部
４６：自動演奏部
４７：音量変更部
４８：ガイド部
５１：レジストレーションテーブル
５２：スイッチ
５４：動作
【図１】
2006293236.tif 000003
【図２】
2006293236.tif 000004
【図３】
2006293236.tif 000005
【図４】
2006293236.tif 000006
【図５】
2006293236.tif 000007